(57)【要約】【課題】容器本体及び仕切板のそれぞれの寸法公差に影響されることなく、容器の対向側壁間に仕切板を安定して保持することが可能な仕切板の保持構造を提供する。【解決手段】容器の対向側壁の各内壁面には、底壁に対し略直交方向に延びる案内溝２４を構築する複数の保持突条２３が並設されている。他方、仕切板４０の長手方向両端部４４，４４の各々は、二つの保持突条２３，２３間の案内溝２４内に進入配置可能に形成されている。その長手方向端部４４の板厚方向両側のうちの一方の側には押圧部４５ａ，４５ｃが、他方の側には押圧部４５ｂがそれぞれ設けられている。これらの押圧部４５ａ，４５ｂ及び４５ｃは左右の保持突条２３，２３を当該仕切板４０の板厚方向に押圧する。その反作用により、仕切板の長手方向端部４４が左右の保持突条２３，２３間に挟圧状態で確実に保持される。【選択図】  図６
2005104477.tif 000002
【特許請求の範囲】
【請求項１】
底壁及び対向する二つの側壁を備えた容器の当該対向側壁間に仕切板を保持するための構造であって、
容器の対向側壁の各内壁面には、底壁に対し略直交方向に延びる案内溝を構築する複数の保持突条が並設されており、
仕切板の長手方向両端部の各々は、隣り合う二つの保持突条間に構築される案内溝内に進入配置可能に形成されると共に、その長手方向両端部の各々の板厚方向両側には、前記隣り合う二つの保持突条を当該仕切板の板厚方向に押圧するための押圧部が設けられていることを特徴とする容器における仕切板の保持構造。
【請求項２】
前記仕切板の長手方向両端部の各々の板厚方向両側に設けられた押圧部について、一方の側に設けられた押圧部の高さ方向位置と、他方の側に設けられた押圧部の高さ方向位置とが異なっていることを特徴とする請求項１に記載の容器における仕切板の保持構造。
【請求項３】
前記案内溝を構築する複数の保持突条は、それら保持突条間の間隔（Ｗ）が基端部から先端部に向かうほど次第に広がるように設けられていることを特徴とする請求項１又は２に記載の容器における仕切板の保持構造。
【請求項４】
前記対向側壁のそれぞれの内壁面には、複数の保持突条間に構築される案内溝の先端部付近において、仕切板の長手方向端部を進入させるべき案内溝を識別又は選択する際の目安となる目印が設けられていることを特徴とする請求項１〜３のいずれかに記載の容器における仕切板の保持構造。
【発明の詳細な説明】
【技術分野】
【０００１】
本発明は、底壁及び対向する二つの側壁を備えた容器の当該対向側壁間に仕切板を保持する（又は取り付ける）ための構造に関するものである。
【背景技術】
【０００２】
従来、箱状容器の内部に一つ又は複数の仕切板を縦横に配置しその容器の内部を複数の収容空間に仕切ることに関して様々な工夫が提案されている。例えば特許文献１では、有底箱状をなすと共に側壁面が下端から上端に向かって拡開したテーパ周面となっている合成樹脂製の容器の内部に、合成樹脂製の仕切板を縦横に組み合わせた状態で収容可能とした容器と仕切板の組合せ構造において、容器本体のテーパ周面と接触する仕切板の各側端面に対し浮き上がり防止突起を設けている。そして、各浮き上がり防止突起を、対応するテーパ周面に押圧しながら仕切板を容器内部に配置することで、その後に仕切板がテーパ周面に沿って上動しても、少し上昇した位置で各突起がテーパ周面から離れ、その結果、仕切板のそれ以上の上方変位がなくなることで仕切板の浮き上がりを防止している。
【０００３】
特許文献１に開示された浮き上がり防止突起の作用及び効果は上述のようなものではあるが、その仕切板の保持構造は、仕切板の長手方向両端部の端面（即ち上記側端面）の少なくとも一部をテーパ周面に押圧状態で接触させ、その反作用として、対向する二つのテーパ周面間で仕切板がその長手方向に踏ん張る（又は突っ張る）ことができる結果、仕切板の長手方向位置決め（即ち対向する二つのテーパ周面の間での固定）が実現されることを前提としたものである。そして、このような仕切板の保持構造において、対向する二つの内壁面間で仕切板の長手方向への効果的な踏ん張りが実現されるためには、対向する二つの内壁面間の距離と、仕切板の全長（即ち上記側端面間の距離）とが、適切に符合しなければならない。
【０００４】
しかしながら、樹脂成形においては樹脂の材料特性や成形技術上の制約から成形品に寸法誤差が出易く、特に大寸法の成形品ほど寸法公差を大きく取らざるを得ないという事情がある。つまり、対向する二つの内壁面間の距離と仕切板の全長とのはめあい寸法差を限りなくゼロに近づけながら容器及び仕切板をそれぞれ安定成形することは意外に難しい。このため、容器及び仕切板をそれぞれの寸法公差内に収まる成形品として大量生産できても、個々の容器と仕切板との組合せ方によっては、相対的に仕切板が長すぎて容器の対向壁面間に嵌め入れることが困難になったり、逆に仕切板が短すぎて容器の対向壁面間でユルユルして確実に固定できなかったりすることがある。
【０００５】
【特許文献１】特開平１１−１７１１８７号公報（請求項１、第００１７段落）
【発明の開示】
【発明が解決しようとする課題】
【０００６】
本発明の目的は、容器本体及び仕切板のそれぞれの寸法公差に影響されることなく、容器の対向側壁間に仕切板を安定して保持することが可能な容器における仕切板の保持構造を提供することにある。また、容器の対向側壁間に仕切板を保持する際に、仕切板を対向側壁間に装着する作業がし易い容器における仕切板の保持構造を提供することにある。
【課題を解決するための手段】
【０００７】
請求項１の発明は、底壁及び対向する二つの側壁を備えた容器の当該対向側壁間に仕切板を保持するための構造であって、容器の対向側壁の各内壁面には、底壁に対し略直交方向に延びる案内溝を構築する複数の保持突条が並設されており、仕切板の長手方向両端部の各々は、隣り合う二つの保持突条間に構築される案内溝内に進入配置可能に形成されると共に、その長手方向両端部の各々の板厚方向両側には、前記隣り合う二つの保持突条を当該仕切板の板厚方向に押圧するための押圧部が設けられていることを特徴とする容器における仕切板の保持構造である。
【０００８】
請求項１によれば、容器の二つの対向側壁の各内壁面には複数の保持突条が並設され、これら保持突条によって底壁に対し略直交方向に延びる案内溝が構築されている。また、仕切板の長手方向両端部の各々は、隣り合う二つの保持突条間に構築される案内溝内に進入配置可能に形成されている。それ故、仕切板を容器の対向壁面間に装着すると、仕切板の各端部がそれに対応する側壁内壁面の二つの保持突条間（即ち案内溝内）に進入し、容器内での仕切板の位置がほぼ確定する。その際、仕切板の各端部の両側にそれぞれ設けられた押圧部は、前記二つの保持突条を板厚方向にそれぞれ押圧し、その反作用として、仕切板の長手方向両端部の各々は二つの保持突条により挟圧され、その保持突条間の案内溝内に固定される。二つの保持突条による挟圧力は、仕切板の長手方向と直交する板厚方向に作用するため、仮に長手方向両端部の各側端面が対向側壁の各内壁面に対して非接触又は非押圧であったとしても（即ち対向側壁間で仕切板がその長手方向に全く踏ん張らなかったとしても）、仕切板は容器の二つの対向側壁間に安定保持される。つまり本発明によれば、容器の対向側壁の内壁面間距離と仕切板の長手方向長（全長）とが理想的に符合せずとも、容器及び仕切板のそれぞれの寸法公差に影響されること無く、容器の二つの対向側壁間に仕切板が安定保持される。
【０００９】
尚、保持突条間の間隔（突条の並設ピッチ）や仕切板の板厚方向両側の押圧部間の距離は、容器の対向側壁間の距離や仕切板の長手方向長（全長）に比べて格段に小さな寸法に過ぎないので、成形時に寸法誤差が出たとしても大した誤差とはならない。それ故、二つの保持突条と仕切板端部との間のはめあい寸法差の僅かなぶれが、上記板厚方向への挟圧作用の発現に重大な支障をもたらすことはほとんどない。
【００１０】
請求項２の発明は、請求項１に記載の容器における仕切板の保持構造において、前記仕切板の長手方向両端部の各々の板厚方向両側に設けられた押圧部について、一方の側に設けられた押圧部の高さ方向位置と、他方の側に設けられた押圧部の高さ方向位置とが異なっていることを特徴とする。
【００１１】
請求項２によれば、仕切板の長手方向端部を隣り合う二つの保持突条間に進入させたとき、仕切板の両側に設けられた押圧部が二つの保持突条を板厚方向に押圧する結果、両側の押圧部はそれぞれに対応する保持突条からの反作用を受ける。一方の側の押圧部がそれと接する保持突条から受ける反作用の向きと、他方の側の押圧部がそれと接する保持突条から受ける反作用の向きは逆向きであり、しかも、一方の側の押圧部と他方の側の押圧部とは互いに高さ方向位置が異なっている。このため、二つの保持突条がその間にある仕切板の端部に対して及ぼす挟圧力は、その仕切板端部をＳ字状又は波状に湾曲変形させようとする（図６参照）。これに対し仕切板は、Ｓ字状又は波状に湾曲変形させようとする挟圧力に抗して本来の形状を保つべく反発する。この反発作用により、仕切板は隣り合う二つの保持突条間で強く踏ん張り、二つの保持突条間における仕切板の長手方向端部の保持が強固なものとなる（仕切板の取付け強度の向上）。
【００１２】
尚、押圧部の高さ方向位置とは、仕切板を容器の対向側壁間に装着保持した場合、容器の底壁から仕切板の押圧部までの距離を意味する。また、上述のような反発作用を仕切板に効果的に発現させるために、板厚方向への弾性湾曲をある程度許容するような樹脂材料で仕切板を構成することが好ましい。
【００１３】
請求項３の発明は、請求項１又は２に記載の容器における仕切板の保持構造において、前記案内溝を構築する複数の保持突条は、それら保持突条間の間隔（Ｗ）が基端部から先端部に向かうほど次第に広がるように設けられていることを特徴とする。
【００１４】
請求項３によれば、隣り合う二つの保持突条によって構築される案内溝の幅（Ｗ）が先端部ほど広がるため、案内溝内に仕切板の長手方向端部を進入させる際に、案内溝の先端部から基端部に向けて仕切板の長手方向端部を差し込み易くなる。また、保持突条間の間隔（Ｗ）が基端部から先端部に向かうほど次第に広がるような構造の場合には、前述のように仕切板を差し込み易い反面、仕切板が容器から抜け易いという欠点も現われやすいので、仕切板の端部を隣り合う二つの保持突条間で強く踏ん張らせるために、請求項２で述べたような仕切板の反発作用に基づいて仕切板の長手方向端部を二つの保持突条間に保持する構造を採用することの有効性や必要性は高い。
【００１５】
請求項４の発明は、請求項１〜３のいずれかに記載の容器における仕切板の保持構造において、前記対向側壁のそれぞれの内壁面には、複数の保持突条間に構築される案内溝の先端部付近において、仕切板の長手方向端部を進入させるべき案内溝を識別又は選択する際の目安となる目印が設けられていることを特徴とする。
【００１６】
請求項４によれば、対向側壁の各内壁面に設けられた目印の位置を目安として、その側壁の内壁面に多数並んだ案内溝の一つ一つを識別又は選択することが可能となり、仕切板の長手方向端部を多数並んだ案内溝のどれに進入させるべきかを判別し易くなる。
【００１７】
尚、請求項４において、「前記目印は、前記複数の保持突条とは別個に、側壁の内壁面に設けられた所定形状の凹部、開口部又は凸部であること」は好ましい。また、「前記対向側壁のうちの一方の側壁に設けられた目印と他方の側壁に設けられた目印とが互いに対向関係となるように、各目印が位置決めされていること」は好ましい。
【００１８】
更に、請求項４において、「前記複数の保持突条は、上端位置が相対的に高い保持突条と、それらの間に配置された上端位置が相対的に低い保持突条とから構成されており、前記目印は、上端位置が相対的に高い二つの保持突条の中間位置に設けられていること」は好ましい。この場合、保持突条の上端位置に高低差が存在することと、上端位置が相対的に高い二つの保持突条の中間位置に設けられた目印との双方を目安として、個々の案内溝を識別又は選択することが可能となる。
【発明の効果】
【００１９】
請求項１〜３に記載の容器における仕切板の保持構造によれば、仕切板の長手方向両端部をそれぞれ対応する側壁内壁面の二つの保持突条によって仕切板の板厚方向に挟圧して保持する構造としたので、容器本体及び仕切板のそれぞれの寸法公差に影響されることなく、容器の対向側壁間に仕切板を安定して保持することができる。
【００２０】
請求項４によれば、対向側壁の各内壁面に設けた目印の位置を目安として、その側壁の内壁面に多数並んだ案内溝の一つ一つを識別又は選択することが可能となり、容器の対向側壁間に仕切板を装着する作業がし易くなる。
【発明を実施するための最良の形態】
【００２１】
以下、本発明に従う仕切板の保持構造を採用した容器並びに第１及び第２の仕切板の一実施形態を図面を参照しつつ説明する。
【００２２】
図１，２及び３は機械部品等の保管及び運搬用の容器として設計されたコンテナの一例を示す。このコンテナは、平面矩形状の底壁１と、その底壁１の四つの周縁（四辺）から立設された四つの側壁２Ａ，２Ｂ，３Ａ及び３Ｂとを備えている。前側の側壁２Ａ及び後側の側壁２Ｂは対向関係にあり、左側の側壁３Ａ及び右側の側壁３Ｂは対向関係にある。前後側壁２Ａ，２Ｂの長さは約３５０〜３７０ｍｍに設定される一方、左右側壁３Ａ，３Ｂの長さは約３７０〜３９０ｍｍに設定されており、前後側壁２Ａ，２Ｂがコンテナの短辺側を、左右側壁３Ａ，３Ｂがコンテナの長辺側をそれぞれ構成している。コンテナは、これら四つの側壁２Ａ〜３Ｂによって囲まれた収容空間を有すると共にその収容空間の上部が開口した容器として構成されている。このコンテナは、例えばポリプロピレン等の合成樹脂に着色剤を混入することで不透明化した樹脂で一体成形されている。なお、詳しくは説明しないが、このコンテナは、複数個をスタッキング状態又はネスティング状態で上下に段積み可能なＳＮコンテナとして設計されている。それ故、ネスティング時には、コンテナの収容空間の高さ方向上半分に上位コンテナの下半部が進入配置される。
【００２３】
図１及び図２に示すように、前側及び後側の側壁２Ａ，２Ｂの内壁面２１上には、それぞれの内壁面２１の下半部領域において、複数の保持突条２２，２３（本例では２６条）が突設されている。これらの保持突条２２，２３は、略垂直方向に延び、且つ左右方向にほぼ等間隔に並んで配置されている。それ故、隣り合う二つの保持突条の間には、略垂直方向に延びる案内溝２４が構築されている。
【００２４】
図１及び図３に示すように、左側及び右側の側壁３Ａ，３Ｂの内壁面３１上には、それぞれの内壁面３１の下半部領域において、複数の保持突条３２，３３（本例では２８条）が突設されている。これらの保持突条３２，３３は、略垂直方向に延び、且つ前後方向にほぼ等間隔に並んで配置されている。それ故、隣り合う二つの保持突条の間には、略垂直方向に延びる案内溝３４が構築されている。尚、本実施形態において垂直方向とは、底壁１に対して直交する方向を意味する。
【００２５】
なお、図６に示すように、前後左右の側壁２Ａ〜３Ｂに設けられた各保持突条（２２，２３，３２，３３）は、基端部（下端部）から先端部（上端部）に向かうほど先細り傾向となるようにその厚み又は幅が連続変化している。このため、各案内溝（２４，３４）を構築する二つの保持突条間の間隔Ｗは、案内溝の下端部から上端部に向かうほど徐々に広がっている。
【００２６】
図２及び図３に示すように、各側壁内壁面の保持突条（２２，２３，３２，３３）の基端部（下端部）は全て底壁１の上面位置に揃えられているが、保持突条の垂直方向長を長短二種類とした結果、各側壁の内壁面２１，３１には、上端位置が高い保持突条２２，３２と、上端位置が低い保持突条２３，３３とが存在している。本実施形態では、溝ピッチにして５ピッチごとに上端位置が高い保持突条２２又は３２を配置し、上端位置が高い保持突条２２又は３２間には、上端位置が低い保持突条２３又は３３を４条配置している。保持突条の上端位置に規則的な高低があることは、仕切板の長手方向両端部を特定の案内溝２４又は３４に差し入れる際に案内溝の識別又は選択に役立つ。
【００２７】
更に、上端位置が高い二つの保持突条２２又は３２の丁度中間位置において、側壁の内壁面２１，３１には、逆三角形状の目印Ｍが刻設又は凹設されている。この目印Ｍは、上端位置が高い二つの保持突条２２又は３２間に存在する５条の案内溝２４又は３４のうちの丁度真ん中（３番目）の案内溝の位置を指し示す。この逆三角形状の目印Ｍも、仕切板の長手方向両端部を特定の案内溝２４又は３４に差し入れる際に案内溝の識別又は選択に役立つ。
【００２８】
図４（Ａ）及び（Ｂ）に示すように、前側及び後側の側壁２Ａ，２Ｂ間に保持される第１の仕切板４０は、前後側壁の内壁面２１，２１間距離よりも僅かに短い長手方向長（全長）を有している。この仕切板４０には、高さ方向に延びる複数本の歯部４１（本例では２６本）が櫛歯状に形成されており、これらの歯部４１の間には、当該仕切板の上端縁側に開口した組合せ用凹部としての櫛歯溝４２、及び、各櫛歯溝４２よりも下側にあって隣り合う歯部４１を連結する薄肉連結部４３が形成されている。これらの櫛歯溝４２及び薄肉連結部４３は、第１の仕切板４０に後記第２の仕切板５０を十字状に組合せ可能とするための嵌合構造を提供する。
【００２９】
第１仕切板４０の長手方向両端部４４，４４における板厚は、前後各側壁２Ａ，２Ｂにおける隣り合う保持突条間の間隔よりも概して小さく設定され、各端部４４は二つの保持突条間の案内溝２４内に進入配置可能となっている。また、第１仕切板の長手方向両端部４４，４４の各々には、その板厚方向両側において合計３つの押圧部４５ａ，４５ｂ及び４５ｃが突設されている。即ち、各端部４４の板厚方向両側のうちの一方の側には、下位押圧部４５ａ及び上位押圧部４５ｃが設けられ、他方の側（反対側）には、中位押圧部４５ｂが設けられている。下位押圧部４５ａは仕切板の高さ方向下寄り位置に配置され、上位押圧部４５ｃは仕切板の高さ方向上寄り位置に配置され、中位押圧部４５ｂは高さ方向中程であって下位及び上位押圧部４５ａ，４５ｃの中間の高さ位置に配置されている。長手方向両端部４４，４４の各々における３つの押圧部４５ａ〜４５ｃは、当該端部４４が隣り合う二つの保持突条間に配置されたときにそれぞれが接触することになる保持突条２２又は２３の側面を当該仕切板４０の板厚方向に押圧し得るように、仕切板本体からの突出量が設定されている。
【００３０】
図５（Ａ）及び（Ｂ）に示すように、左側及び右側の側壁３Ａ，３Ｂ間に保持される第２の仕切板５０は、左右側壁の内壁面３１，３１間距離よりも僅かに短い長手方向長（全長）を有している。この仕切板５０には、高さ方向に延びる複数本の歯部５１（本例では２４本）が櫛歯状に形成されており、これらの歯部５１の間には、当該仕切板の下端縁側に開口した組合せ用凹部としての櫛歯溝５２が形成されている。また、櫛歯溝５２よりも上側には薄肉板状部５３が形成されている。これらの櫛歯溝５２及び薄肉板状部５３は、前記第１の仕切板４０に第２の仕切板５０を十字状に組合せ可能とするための嵌合構造を提供する。
【００３１】
第２仕切板５０の長手方向両端部５４，５４における板厚は、左右各側壁３Ａ，３Ｂにおける隣り合う保持突条間の間隔よりも概して小さく設定され、各端部５４は二つの保持突条間の案内溝３４内に進入配置可能となっている。また、第２仕切板の長手方向両端部５４，５４の各々には、その板厚方向両側において合計３つの押圧部５５ａ，５５ｂ及び５５ｃが突設されている。即ち、各端部５４の板厚方向両側のうちの一方の側には、下位押圧部５５ａ及び上位押圧部５５ｃが設けられ、他方の側（反対側）には、中位押圧部５５ｂが設けられている。下位押圧部５５ａは仕切板の高さ方向下寄り位置に配置され、上位押圧部５５ｃは仕切板の高さ方向上寄り位置に配置され、中位押圧部５５ｂは高さ方向中程であって下位及び上位押圧部５５ａ，５５ｃの中間の高さ位置に配置されている。長手方向両端部５４，５４の各々における３つの押圧部５５ａ〜５５ｃは、当該端部５４が隣り合う二つの保持突条間に配置されたときにそれぞれが接触することになる保持突条３２又は３３の側面を当該仕切板５０の板厚方向に押圧し得るように、仕切板本体からの突出量が設定されている。
【００３２】
尚、第１及び第２の仕切板４０，５０は、例えばポリプロピレン等の合成樹脂に着色剤を混入することで不透明化した樹脂で一体成形されている。ポリプロピレン製の仕切板４０，５０は、その板厚を適度に薄く設定することで、板厚方向に作用する外力に対してある程度湾曲し得るのみならず、その外力に対して反発弾性を示す。
【００３３】
次に、第１及び第２の仕切板４０，５０をコンテナに装着するときの作用等について説明する。このコンテナでは図１に仮想線で示すように、前後側壁２Ａ，２Ｂ間に第１の仕切板４０を装着した後に、第２の仕切板５０が第１の仕切板４０に対して十文字に交差するように左右側壁３Ａ，３Ｂ間に装着される。
【００３４】
先ず、第１の仕切板４０を前後側壁２Ａ，２Ｂ間に装着するには、左右側壁３Ａ，３Ｂに対して平行となるように立たせた仕切板４０を、コンテナの上方から底壁１に向けコンテナ内に半ば強制的に差し込む。すると、例えば図６に示すように、仕切板４０の長手方向両端部４４，４４が、それぞれに対応する側壁内壁面２１の特定の案内溝２４内（図６では二つの保持突条２３，２３間）に進入し、第１の仕切板４０によるコンテナ収納空間の左右仕切位置が確定する。
【００３５】
仕切板４０の差し込み時にはその差し込みに抵抗する力が生じるが、その抵抗力に打ち勝って仕切板４０の下端縁が底壁１に接するまで仕切板４０を押し込むと、仕切板の各端部４４の両側に設けられた押圧部４５ａ〜４５ｃが、対応する保持突条２３を板厚方向にそれぞれ押圧する。その反作用として、仕切板の各端部４４は二つの保持突条２３，２３により挟圧され、その保持突条間の案内溝２４内に固定される。
【００３６】
より具体的には図６に示すように、各端部４４の一方の側に設けられた下位押圧部４５ａ及び上位押圧部４５ｃがそれらに接する保持突条２３を押圧すると共に、各端部４４の他方の側に設けられた中位押圧部４５ｂがそれに接する保持突条２３を押圧する。そして各端部４４は、それぞれの押圧部４５ａ〜４５ｃにおいて保持突条２３からの反作用を受ける。下位及び上位押圧部４５ａ，４５ｃが受ける反作用の向きと、中位押圧部４５ｂが受ける反作用の向きとは逆向きであり、しかも、中位押圧部４５ｂは下位及び上位押圧部４５ａ，４５ｃの中間の高さに位置しているため、二つの保持突条２３，２３がその間に挟まれた仕切板の当該端部４４に対して及ぼす三つの力（反作用）は、その仕切板の端部４４をＳ字状又は波状に湾曲変形させようとする。これに対し、仕切板の各端部４４は、上記Ｓ字状又は波状に湾曲変形させようとする力に抗して本来の形状を保つべく反発弾性を示すため、その反発弾性に基づいて二つの保持突条２３，２３間で板厚方向に強く踏ん張る。その結果、二つの保持突条２３，２３による仕切板の長手方向端部４４の挟圧保持が強固なものとなる。
【００３７】
第２の仕切板５０を左右側壁３Ａ，３Ｂ間に装着する際の手順も、第１の仕切板４０の場合と同様である。即ち、前後側壁２Ａ，２Ｂに対して平行となるように立たせた仕切板５０を、コンテナの上方から底壁１に向けコンテナ内に半ば強制的に差し込む。すると、仕切板５０の長手方向両端部５４，５４が、それぞれに対応する側壁内壁面３１の特定の案内溝３４内（例えば二つの保持突条３３，３３間）に進入し、第２の仕切板５０によるコンテナ収納空間の前後仕切位置が確定する。そして、仕切板５０の下端縁が底壁１に接するまで仕切板５０を押し込むと、仕切板の各端部５４の両側に設けられた押圧部５５ａ〜５５ｃが、対応する保持突条３３を板厚方向にそれぞれ押圧する。その反作用として、仕切板の各端部５４は二つの保持突条３３，３３により挟圧され、その保持突条間の案内溝３４内に固定される。その際に、各端部５４の両側に設けられた三つの押圧部５５ａ，５５ｂ及び５５ｃの押圧作用に基づいて二つの保持突条３３，３３から三つの反作用を受け、そのことに起因して仕切板の各端部５４が二つの保持突条３３，３３間で板厚方向に強く踏ん張り、その結果、二つの保持突条３３，３３による仕切板の長手方向端部５４の挟圧保持が強固なものとなることは、第１の仕切板４０の場合と同じである。
【００３８】
尚、第２の仕切板５０をコンテナ内に差し込んだとき、第２仕切板５０の特定の櫛歯溝５２内に第１仕切板４０の特定の薄肉連結部４３が進入すると共に、第１仕切板４０の特定の櫛歯溝４２内に第２仕切板５０の薄肉板状部５３が進入することで、第１及び第２仕切板４０，５０間の十字状交差嵌合が実現する。このため、一方の仕切板が対向側壁間に保持されるのを他方の仕切板が阻害することはない。
【００３９】
以上述べたように、第１の仕切板４０の長手方向端部４４が特定の案内溝２４内に進入配置されたときの当該案内溝２４を構成する二つの保持突条２３，２３による挟圧力は、その仕切板４０の長手方向と直交する板厚方向に作用する。このため、仮に長手方向両端部４４，４４の側端面が対向側壁２Ａ，２Ｂの各内壁面２１に対して非接触又は非押圧であったとしても（即ち対向側壁２Ａ，２Ｂ間で仕切板４０がその長手方向に全く踏ん張らなかったとしても）、仕切板４０は二つの対向側壁２Ａ，２Ｂ間に安定保持される。このことは、第２の仕切板５０を二つの対向側壁３Ａ，３Ｂ間に保持するときにも言える。それ故、本実施形態によれば、容器の対向側壁の内壁面間距離と仕切板の長手方向長とが適切に符合するか否かにかかわらず、コンテナ及び仕切板のそれぞれの寸法公差に影響されること無く、容器の対向側壁間に仕切板４０，５０を安定保持することができる。
【００４０】
本実施形態では、各側壁の内壁面２１，３１に並設した複数の保持突条（２２，２３，３２，３３）において上端位置が高低二種類となるように各保持突条の垂直方向長を設定すると共に、上端位置が高い保持突条２２，３２を所定間隔にて規則的に配置した。それに加えて、側壁の内壁面２１，３１には、上端位置が高い二つの保持突条の中間位置において、逆三角形状の目印Ｍを設けた。それ故、保持突条の上端位置に高低差が存在すること、及び、上端位置が高い二つの保持突条の中間に位置する目印Ｍを目安として、その側壁の内壁面に多数並んだ案内溝２４，３４の一つ一つを識別又は選択することが可能となる。その結果、仕切板４０，５０の長手方向端部を多数並んだ案内溝のどれに進入させるべきかが判別し易くなり、ひいては、容器の対向壁面間に仕切板４０，５０を装着する作業がし易くなる。
【００４１】
（変更例）前記目印Ｍの形状は逆三角形状に限定されず、四角形状その他の多角形状や円形状であってもよい。また、目印Ｍは、側壁の内壁面２１，３１から突出する凸部として提供されてもよい。
【図面の簡単な説明】
【００４２】
【図１】容器の一例たるＳＮコンテナの平面図。
【図２】容器の前側側壁の内壁面を示す図１のＡ−Ａ線での断面図。
【図３】容器の左側側壁の内壁面を示す図１のＣ−Ｃ線での断面図。
【図４】第１の仕切板を示し（Ａ）は正面図、（Ｂ）は右側面図。
【図５】第２の仕切板を示し（Ａ）は正面図、（Ｂ）は右側面図。
【図６】仕切板の端部を一側壁の保持突条間に配置したときの概要を示す図。
【符号の説明】
【００４３】
１…底壁、２Ａ…前側の側壁、２Ｂ…後側の側壁、３Ａ…左側の側壁、３Ｂ…右側の側壁、２１…前後側壁の内壁面、２２，２３…保持突条、２４…案内溝、３１…左右側壁の内壁面、３２，３３…保持突条、３４…案内溝、４０…第１の仕切板、４４…長手方向端部、４５ａ，４５ｂ，４５ｃ…押圧部、５０…第２の仕切板、５４…長手方向端部、５５ａ，５５ｂ，５５ｃ…押圧部、Ｍ…目印。
【図１】
2005104477.tif 000003
【図２】
2005104477.tif 000004
【図３】
2005104477.tif 000005
【図４】
2005104477.tif 000006
【図５】
2005104477.tif 000007
【図６】
2005104477.tif 000008